(57)【要約】【課題】刈払作業を、容易に、かつ、安全に行うことを可能にした刈払機の提供。【解決手段】上記課題は、長尺棒２と、この長尺棒２に設けられて原動機を駆動源として回転する回転刃３と、この回転刃３に着脱可能に装着した隅切り保護具７とを少なくとも備え、前記隅切り保護具７を、一端側が長尺棒２に着脱可能に取り付けられ、かつ、他端側が回転刃３上に延在させてなる支持部材９と、この支持部材９に取り付けられる一対の扇状保護片１０、１１とを含む構成とし、この扇状保護片１０、１１の外周を回転刃３の外周よりも外方に突出させるとともに、前記一対の扇状保護片１０、１１のいずれか一方若しくは両方を、前記支持部材９に着脱可能に取り付けることにより、達成できる。【選択図】図３
2007209317.tif 000002
【特許請求の範囲】
【請求項１】
長尺棒と、この長尺棒の先端側に連結された伝達機構収納体と、この伝達機構収納体に収納した回転軸と、この回転軸に設けられた回転刃と、前記長尺棒に設けられて前記回転刃の駆動源となる駆動装置と、前記長尺棒を左右に振るための握りハンドルとを少なくとも有し、前記長尺棒に隅切り保護具を取り付けてなる刈払機において、
前記隅切り保護具を、一端側が前記長尺棒に着脱可能に取り付けられ、かつ、他端側が前記回転刃上に延在させてなる支持部材と、この支持部材に取り付けられる一対の第１の扇状保護片及び第２の扇状保護片を含む構成とし、しかも、前記第１の扇状保護片と第２の扇状保護片を、前記第１の扇状保護片の内側端面と前記第２の扇状保護片の内側端面との間に間隙が形成されるとともに、前記第１の扇状保護片及び前記第２の扇状保護片の先端部を、前記回転刃の外周よりも外方に突出するように、前記第１の扇状保護片及び前記第２の扇状保護片を前記支持部材に取り付けたことを特徴とする刈払機。
【請求項２】
前記第１の扇状保護片及び前記第２の扇状保護片を、前記伝達機構収納体に収納した回転軸の軸線と交差する位置より前記長尺棒の長手方向の中心線の延長線に対して略直角方向に延びる線よりも、後方に前記第１の扇状保護片の外側端面及び前記第２の扇状保護片の外側端面が位置する形状としたことを特徴とする請求項１記載の刈払機。
【請求項３】
前記支持部材を、前記長尺棒に取り付けるための取り付け部と、この取り付け部から前記回転刃上に延在させてなる延在部と、前記長尺棒の先端側に設けられた伝達機構収納体が嵌合する開口とを含む構成としたことを特徴とする請求項１乃至２記載の刈払機。
【請求項４】
前記第１の扇状保護片及び第２の扇状保護片を、前記回転刃の外周よりも外方に突出させる先端部と、前記支持部材の延在部に取り付けるための平坦部と、この平坦部と前記先端部とを連結するための湾曲部とからなり、この湾曲部を、前記伝達機構収納体に向って凹ませた形状としたことを特徴とする請求項１乃至３記載の刈払機。
【請求項５】
前記前記支持部材の取り付け部の前端側に位置する部分に、前記握りハンドルを握って草類の刈り払いを行う刈払作業者の足部に前記回転刃が接触するのを阻止する接触防止カバーを設けたことを特徴とする請求項１乃至４記載の刈払機。
【請求項６】
前記第１の扇状保護片と前記第２の扇状保護片のいずれか一方若しくは両方を、前記支持部材に着脱可能に取り付けてなることを特徴とする請求項１乃至５記載の刈払機。
【請求項７】
長尺棒と、この長尺棒の先端側に設けた伝達機構収納体と、この伝達機構収納体に収納した回転軸と、この回転軸に連結された回転刃と、前記長尺棒に設けられて前記回転刃の駆動源となる駆動装置と、前記長尺棒を左右に振るための握りハンドルとを少なくとも備えた刈払機に、着脱可能に装着される隅切り保護具であって、前記隅切り保護具を、一端側が前記長尺棒に着脱可能に取り付けられ、かつ、他端側が前記回転刃上に延在させてなる支持部材と、この支持部材に取り付けられる一対の第１の扇状保護片及び第２の扇状保護片とから構成し、しかも、前記第１の扇状保護片と第２の扇状保護片を、前記第１の扇状保護片の内側端面と前記第２の扇状保護片の内側端面との間に間隙が形成されるとともに、前記第１の扇状保護片及び前記第２の扇状保護片の先端部の外周が、前記回転刃の外周よりも外方に突出するように、前記第１の扇状保護片及び前記第２の扇状保護片を、前記支持部材に取り付ける構成としたことを特徴とする刈払機用隅切り保護具。
【請求項８】
前記第１の扇状保護片及び前記第２の扇状保護片を、前記伝達機構収納体に回転軸の軸線と交差する位置より前記長尺棒の長手方向の中心線の延長線に対して略直角方向に延びる線よりも、後方に前記第１の扇状保護片の外側端面及び前記第２の扇状保護片の外側端面が位置する形状とするとともに、前記第１の扇状保護片及び前記第２の扇状保護片を前記支持部材に着脱可能に取り付ける構成にしたことを特徴とする請求項７記載の刈払機用隅切り保護具。
【発明の詳細な説明】
【技術分野】
【０００１】  本発明は、地面に生えた草類などを刈り取るのに好適な刈払機及び刈払機用隅切り保護具に関するものである。
【背景技術】
【０００２】  従来、刈払機としては、長尺棒と、この長尺棒の先端側に設けられた回転刃と、長尺棒の後端側に設けられて回転刃の駆動源となる駆動装置と、長尺棒を保持する肩掛けバンドと、長尺棒を左右に振るための握りハンドルとを少なくとも有し、その長尺棒にアタッチメントとしての刈払機用隅切り保護具が取り付けられる構造になっている。そして、その刈払機用隅切り保護具としては、回転刃の後半周の上面及び側面を覆う半円状の後部保護カバーと、この後部保護カバーに取り付けた熊手状の前部保護カバーとからなる構造にしたものが知られている（例えば、特許文献１参照）。【０００３】
【特許文献１】特開２００４−３５７６６５号公報（段落番号００１５〜００２０、図１〜図２）
【発明の開示】
【発明が解決しようとする課題】
【０００４】  しかしながら、上述の特開２００４−３５７６６５号公報に記載されている刈払機用隅切り保護具及び刈払機では、回転刃の前半周の上面及び側面を覆う前部保護カバーを熊手状としているために、その熊手状部分に刈り取られた草類が絡まってしまうとともに、その熊手状部分が簡単に破損若しくは変形してしまうという問題点を有していた。【０００５】  さらに、上述の特開２００４−３５７６６５号公報に記載されている刈払機用隅切り保護具及び刈払機では、半円状の後部保護カバーによって、回転刃の後半周の上面及び側面が覆われているため、その半円状の後部保護カバーと回転刃との間に、刈り取られた草類が詰まってしまったり、あるいは、回転刃と前部保護カバー及び後部保護カバーとの間の回転軸部に刈り取られた草類が絡み付いたりして、回転刃の回転を停止させてしまうとともに、その詰まってしまったり、あるいは、絡みついたりした草類を取り除くには、前部保護カバー及び後部保護カバーを刈払機から外さないとできないという問題点を有していた。【０００６】  本発明は、上記問題点に鑑みてなされたもので、その目的は、刈払機用隅切り保護具と回転刃との間に刈り取られた草類が詰まったり、あるいは、刈り取られた草類が回転刃の回転軸部の周りに絡み付いたりすることで、回転刃の回転を停止させることを阻止できて、しかも、簡単に破損することのない刈払機及び刈払機用隅切り保護具を提供することにある。
【課題を解決するための手段】
【０００７】  上記目的を達成するために、本発明の特徴は、長尺棒と、この長尺棒の先端側に設けた伝達機構収納体と、この伝達機構収納体に収納した回転軸と、この回転軸に連結された回転刃と、前記長尺棒に設けられて前記回転刃の駆動源となる駆動装置と、前記長尺棒を左右に振るための握りハンドルとを少なくとも有し、前記長尺棒に隅切り保護具を取り付けてなる刈払機において、前記隅切り保護具を、一端側が前記長尺棒に着脱可能に取り付けられ、かつ、他端側が前記回転刃上に延在させてなる支持部材と、この支持部材に取り付けられる一対の第１の扇状保護片及び第２の扇状保護片を含む構成とし、前記第１の扇状保護片と第２の扇状保護片を、前記第１の扇状保護片の内側端面と前記第２の扇状保護片の内側端面との間に間隙が形成されるとともに、前記第１の扇状保護片及び前記第２の扇状保護片の先端部が、前記回転刃の先端部の外周よりも外方に突出するように、前記第１の扇状保護片及び前記第２の扇状保護片を前記支持部材に取り付けてなることにある。【０００８】  さらに、本発明の特徴は、前記第１の扇状保護片及び前記第２の扇状保護片を、前記伝達機構収納体に収納した回転軸の軸線と交差する位置より前記長尺棒の長手方向の中心線の延長線に対して略直角方向に延びる線よりも、後方に前記第１の扇状保護片の外側端面及び前記第２の扇状保護片の外側端面が位置する形状とした刈払機にある。【０００９】  さらに、本発明の特徴は、前記支持部材を、前記長尺棒に取り付けるための取り付け部と、この取り付け部から前記回転刃上に延在させてなる延在部と、前記長尺棒の先端側に設けられた伝達機構収納体が嵌合する開口とを含む構成とした刈払機にある。【００１０】  さらに、本発明の特徴は、前記第１の扇状保護片及び第２の扇状保護片を、前記回転刃の外周よりも外方に突出させる先端部と、前記支持部材の延在部に取り付けるための平坦部と、この平坦部と前記先端部とを連結するための湾曲部とからなり、この湾曲部を、前記伝達機構収納体に向って凹ませた形状とした刈払機にある。【００１１】  さらに、本発明の特徴は、前記支持部材の取り付け部の前端側に位置する部分に、前記握りハンドルを握って草類の刈り払いを行う刈払作業者の足部に前記回転刃が接触するのを阻止する接触防止カバーを設けた刈払機にある。【００１２】  さらに、本発明の特徴は、前記第１の扇状保護片と前記第２の扇状保護片のいずれか一方若しくは両方を、前記支持部材に着脱可能に取り付けてなることを特徴とする刈払機にある。【００１３】  さらに、本発明の特徴は、長尺棒と、この長尺棒の先端側に設けた伝達機構収納体と、この伝達機構収納体に収納した回転軸と、この回転軸に連結された回転刃と、前記長尺棒に設けられて前記回転刃の駆動源となる駆動装置と、前記長尺棒を左右に振るための握りハンドルとを少なくとも備えた刈払機に、着脱可能に装着される隅切り保護具であって、前記隅切り保護具を、一端側が前記長尺棒に着脱可能に取り付けられ、かつ、他端側が前記回転刃上に延在させてなる支持部材と、この支持部材に取り付けられる一対の第１の扇状保護片及び第２の扇状保護片とから構成し、しかも、前記第１の扇状保護片と第２の扇状保護���を、前記第１の扇状保護片の内側端面と前記第２の扇状保護片の内側端面との間に間隙が形成されるとともに、前記第１の扇状保護片及び前記第２の扇状保護片の先端部の外周が、前記回転刃の外周よりも外方に突出するように、前記第１の扇状保護片及び前記第２の扇状保護片を、前記支持部材に取り付ける構成とした刈払機用隅切り保護具にある。【００１４】  さらに、本発明の特徴は、前記第１の扇状保護片及び前記第２の扇状保護片を、前記伝達機構収納体に回転軸の軸線と交差する位置より前記長尺棒の長手方向の中心線の延長線に対して略直角方向に延びる線よりも、後方に前記第１の扇状保護片の外側端面及び前記第２の扇状保護片の外側端面が位置する形状とするとともに、前記第１の扇状保護片及び前記第２の扇状保護片を前記支持部材に着脱可能に取り付ける構成にしたことを特徴とする刈払機用隅切り保護具にある。
【発明の効果】
【００１５】  本発明によれば、刈払機用隅切り保護具と回転刃との間に刈り取られた草類が詰まること及び刈り取られた草類が回転刃を収納した伝達機構収納体の周りに絡み付くことが、ほとんどなくなるので、回転刃の回転を停止させることを阻止できるとともに、刈り取られた草類を、刈払機用隅切り保護具によって、所定の箇所に掻き集めることができる使い勝手性及び安全性の優れた刈払機が得られる。【００１６】  さらに、本発明によれば、前記第１の扇状保護片及び前記第２の扇状保護片の先端部の外周を、前記回転刃の外周よりも外方に突出するように、前記第１の扇状保護片及び前記第２の扇状保護片を回転刃上に延在させた支持部材に取り付けるようにしているので、それら扇状保護片は簡単に破損することないとともに、立ち木の周りの地面及び田んぼの畦などの隅部に生えている草類等を、立ち木や畦波板などを損傷させることなく、安全に、かつ、円滑に刈り取ることを可能にする刈払機用隅切り保護具が得られる。
【発明の実施するための最良の形態】
【００１７】  以下、本発明の実施形態例を、図１〜図１１に基づき、具体的に説明する。図１は、本発明の一実施形態に係わる刈払機における隅切り保護具を分解した状態を示す全体斜視図である。図２は、本発明の一実施形態に係わる刈払機における駆動装置用の伝達機構の要部概略説明図である。図３は、本発明の一実施形態に係わる刈払機における隅切り保護具の取り付け状態を示す要部上面図である。図４は、本発明の一実施形態に係わる刈払機における隅切り保護具の取り付け状態を説明するための説明図である。図５は、本発明の一実施形態に係わる刈払機の隅切り保護具の分解斜視図である。図６は、本発明の一実施形態に係わる刈払機の隅切り保護具を構成する支持部材の斜視図である。図７は、本発明の一実施形態に係わる刈払機の隅切り保護具を構成する支持部材の側面図である。図８は、本発明の一実施形態に係わる刈払機の隅切り保護具を構成する扇状保護片の上面図である。図９は、本発明の一実施形態に係わる刈払機の隅切り保護具を構成する扇状保護片の拡大斜視図である。図１０は、本発明の一実施形態に係わる刈払機の隅切り保護具を構成する支持部材の位置を調整するための位置調整部材の拡大斜視図である。図１１は、本発明の一実施形態に係わる刈払機の隅切り保護具の作用説明図である。
【００１８】  図１に示す一実施形態の刈払機１は、長尺棒２と、この長尺棒２の先端側に設けられた回転刃３と、長尺棒２の後端側に設けられて回転刃３の駆動源となる駆動装置４と、長尺棒２を保持する肩掛けバンド５と、長尺棒２を左右に振るための握りハンドル６とを少なくとも有し、その長尺棒２にアタッチメントとしての隅切り保護具７が、着脱可能に取り付けられるようにしてある。
【００１９】  長尺棒２の先端側に設けられた筒状の伝達機構収納体８内には、図２に示すように、複数個の伝達歯車８Ａ及び回転軸８Ｂが設置されている。長尺棒２内には、駆動装置４の回転力を伝達歯車８Ａ及び回転軸８Ｂに伝達するための細長伝達軸８Ｃが設けられている。長尺棒２は、直径が約２５ｍｍで、かつ、長さが約１６０ｃｍのステンレス、アルミニュームなどの軽量化された鋼管からなる。伝達機構収納体８は、長尺棒２の長手方向の中心線Ｘ２の延長上に配設させるようにしてある。伝達機構収納体８に設置した回転軸８Ｂは、伝達機構収納体８の縦方向の中心と回転軸８Ｂの軸線Ｘ１が一致するように、設けられている（図２及び図３を参照）。
【００２０】  回転刃３は、回転軸８Ｂの自由端（下端）に取り換えができるように固定されており、駆動装置４の回転力が、細長伝達軸８Ｃ−伝達歯車８Ａを介して、回転軸８Ｂに伝達されることで、一方向（図１の矢印Ｐ方向）に回転するようにしてある。駆動装置４は、２サイクルエンジンからなり、長尺棒２の後端側に取り換えができるように固定されている。回転刃３は、円板状の外周に鋸状の刃を有する形状としてある。回転刃３の直径は、約２３０ｍｍ〜約２５５ｍｍとしてある。
【００２１】  肩掛けバンド５は、布製若しくは皮製であって、刈払機１の使用者の肩に長尺棒２を吊るして長尺棒２の後端側に設けた駆動装置４を支えるのに好適な位置に設けられている。握りハンドル６は、ステンレス、アルミニュームなどの鋼管からなり、刈払機１の使用者の肩に肩掛けバンド５を掛けた状態で、刈払機１の使用者が両手を使って、長尺棒２を左右に振ることが円滑に行える形状としてある。
【００２２】  隅切り保護具７は、一端側が長尺棒２に着脱可能に取り付けられ、かつ、他端側が回転刃３上に延在させてなる支持部材９と、この支持部材９に取り付けられる一対の第１の扇状保護片１０及び第２の扇状保護片１１とを含む構成としてある（主に図１及び図３を参照）。隅切り保護具７を取り付けた刈払機１には、回転刃３に近接させた状態で、刈払機１の使用者の脚部等に回転刃３が接触するのを阻止する接触防止カバー１２が、着脱可能に取り付けられる（主に、図１、図３及び図５を参照）。
【００２３】  支持部材９は、ステンレス製、アルミニューム製などの鋼板からなり、プレス加工によって作られており、長尺棒２に取り付けるための平板状の取り付け部９Ａと、この取り付け部９Ａから回転刃３上に延在させてなる平板状の延在部９Ｂと、長尺棒２の先端側に設けられた伝達機構収納体８が嵌合する方形状の開口９Ｃとからなっている。支持部材９の取り付け部９Ａと延在部９Ｂとの間には、取り付け部９Ａが長尺棒２の長手方向に対して略平行となるように、かつ、延在部９Ｂの下面が回転刃３の上面に対して略平行となるように、折り曲げ傾斜面９Ｄが形成されている。支持部材９の開口９Ｃは、伝達機構収納体８及びこの伝達機構収納体８に連結する長尺棒２の先端部分が嵌合可能な大きさに設定されている（主に、図３〜図７を参照）。
【００２４】  支持部材９は、取り付け部９Ａを２個の支持部材用締結手段１３によって長尺棒２に締結することで、刈払機１に、着脱可能に装着される。支持部材用締結手段１３は、留め金具１３Ａと、蝶ナット１３Ｂとからなっている。留め金具１３Ａは、長尺棒２が嵌合する嵌合凹部１３Ｃとこの嵌合凹部１３Ｃの左右に設けた金具取り付け孔１３Ｄと、この金具取り付け孔１３Ｄに嵌合する複数個の留め金具用ボルト１３Ｅとからなっている。支持部材９の取り付け部９Ａには、図５や図６などに示すように、留め金具用ボルト１３Ｅが挿入する複数個の取り付け孔９Ｅが設けられている。支持部材９の延在部９Ｂには、図５及び図６などに示すように、一対の第１の扇状保護片１０及び第２の扇状保護片１１を取り付けるための扇状保護片用取り付け孔９Ｆが複数個設けられている。
【００２５】  支持部材９には、図５〜図７などに示すように、支持部材９の強度を増大させる（支持部材９の変形を抑える）ための鋼材からなる長方形状の補強部材１４と、鋼材からなる長方形状の位置調整部材１５が取り付けられている。補強部材１４は、支持部材９の折り曲げ傾斜面９Ｄの上方に位置するように、支持部材９の取り付け部９Ａと延在部９Ｂとに溶接することにより、固定されている。位置調整部材１５は、第１の扇状保護片１０及び第２の扇状保護片１１の先端部１０Ａ、１１Ａが回転刃３の外周よりも外方に突出するところの突出寸法Ｌ１（図４参照）を調整するためのものであって、図６に示すように、支持部材９の延在部９Ｂに対して、着脱可能に、かつ、左右方向（長尺棒２の長手方向）に移動可能に取り付けられる。位置調整部材１５の支持部材９の延在部９Ｂへの取り付けは、位置調整部材１５に設けた長孔１５Ａに、支持部材９の延在部９Ｂの上面に溶接された位置調整用ボルト１５Ｂを嵌合させた後、その位置調整用ボルト１５Ｂに蝶ナット１５Ｃを螺着させることで、行われる。位置調整部材１５の位置調整は、蝶ナット１５Ｃを緩めて、位置調整部材１５を所定位置に移動させた後、再度、蝶ナット１５Ｃを締め直すことにより、行われる。位置調整部材１５の一端面には、図１０に示すように、伝達機構収納体８の外周壁の形状に合わせた円弧状側面１５Ｄが形成されている。支持部材９の取り付け部９Ａを支持部材用締結手段１３によって長尺棒２に取り付けた場合には、支持部材９の下面と回転軸８Ｂの自由端（下端）に固定した回転刃３の上面との間隙Ｇ１（図４参照）が、最大５ｍｍ内となるようにしてある。
【００２６】  第１の扇状保護片１０及び第２の扇状保護片１１は、ステンレス製、アルミニューム製などの鋼板からなり、プレス加工などによって作られている。第１の扇状保護片１０及び第２の扇状保護片１１は、図８及び図９に示すように、回転刃３の外周よりも外方に突出させる先端部１０Ａ、１１Ａと、支持部材９の延在部９Ｂに取り付けるための平坦部１０Ｃ、１１Ｃと、この平坦部１０Ｃ、１１Ｃと先端部１０Ａ、１１Ａとを連結するための湾曲部１０Ｂ、１１Ｂとからなっている。第１の扇状保護片１０及び第２の扇状保護片１１には、扇状保護片用ボルト１６Ｂが貫通する貫通孔１０Ｆ、１１Ｆが複数個設けられている。第１の扇状保護片１０及び第２の扇状保護片１１は、扇状保護片用蝶ナット１６Ａ及び扇状保護片用ボルト１６Ｂからなる扇状保護片用締結手段１６により、支持部材９の延在部９Ｂに着脱可能に取り付けられる。すなわち、貫通孔１０Ｆ、１１Ｆに扇状保護片用ボルト１６Ｂを嵌合させた後、その扇状保護片用ボルト１６Ｂに扇状保護片用蝶ナット１６Ａをねじ込むことで、支持部材９の延在部９Ｂに着脱可能に取り付けられる（図１及び図３を参照）。
【００２７】  一対の第１の扇状保護片１０及び第２の扇状保護片１１は、図４に示すように、この第１の扇状保護片１０及び第２の扇状保護片１１の先端部１０Ａ、１１Ａの全外周が回転刃３の外周よりも外方に突出する突出寸法Ｌ１（図４参照）を、最大５ｍｍとなるように支持部材９の延在部９Ｂに取り付けられている。第１の扇状保護片１０及び第２の扇状保護片１１の先端部１０Ａ、１１Ａは、第１の扇状保護片１０及び第２の扇状保護片１１の平坦部１０Ｃ、１１Ｃよりも約３０ｍｍ高い位置となるように、湾曲部１０Ｂ、１１Ｂで連結されている。第１の扇状保護片１０及び第２の扇状保護片１１の湾曲部１０Ｂ、１１Ｂは、第１の扇状保護片１０及び第２の扇状保護片１１が支持部材９に取り付けられた状態で、伝達機構収納体８に向って凹んだ形状となるように、滑らかに湾曲させてある。
【００２８】  第１の扇状保護片１０と第２の扇状保護片１１は、図３に示すように、同一大きさ及び同一形状としてあるとともに、長尺棒２の長手方向の中心線Ｘ２の延長線に対して略左右対称に配設させてある。しかも、第１の扇状保護片１０と第２の扇状保護片１１は、第１の扇状保護片１０の内側端面１０Ｅと第２の扇状保護片１１の内側端面１１Ｅとの間の間隙Ｇ２（図３参照）が最大５０ｍｍとなるように、かつ、長尺棒２の長手方向の中心線Ｘ２の延長線に対して略直角であって、かつ、伝達機構収納体８の中心を通る線Ｙ上よりも後方に第１の扇状保護片１０の外側端面１０Ｄ及び第２の扇状保護片１１の外側端面１１Ｄが位置するようにしてある（図３参照）。その結果、回転刃３の刃先の約半分が、第１の扇状保護片１０と第２の扇状保護片１１によって、覆われた状態となる。
【００２９】  アタッチメントとしての隅切り保護具７を刈払機１に装着する場合、支持部材９の開口９Ｃの前端縁に伝達機構収納体８の外周前部が当接するように、その伝達機構収納体８を支持部材９の開口９Ｃに嵌合させた状態とした後、支持部材９を支持部材用締結手段１３によって長尺棒２に固定すれば、直径を約２３０ｍｍとした回転刃３の刃先よりも外方に、第１の扇状保護片１０及び第２の扇状保護片１１の先端部１０Ａ、１１Ａの全外周が最大５ｍｍ以内に突出した状態が得られる。この場合、位置調整部材１５は、その位置調整部材１５の円弧状側面１５Ｄが伝達機構収納体８の外周前部が当接した状態で、位置調整用ボルト１５Ｂ及び蝶ナット１５Ｃによって支持部材９の延在部９Ｂに固定される。
【００３０】  直径を約２３０ｍｍとした回転刃３に替えて、直径を約２５５ｍｍとした回転刃３を回転軸８Ｂの取り付ける場合には、第１の扇状保護片１０及び第２の扇状保護片１１の先端部１０Ａ、１１Ａの全外周が最大５ｍｍ以内に突出した状態となるように、蝶ナット１５Ｃを緩めて、位置調整部材１５を所定位置に移動（左右）させた後、再度、蝶ナット１５Ｃを締め直すことで位置調整部材１５の位置調整をするとともに、支持部材用締結手段１３による支持部材９の長尺棒２への固定位置を位置調整することによって、直径を約２５５ｍｍとした回転刃３の刃先よりも外方に、第１の扇状保護片１０及び第２の扇状保護片１１の先端部１０Ａ、１１Ａの全外周が最大５ｍｍ以内に突出した状態が得られる。
【００３１】  支持部材用締結手段１３によって、支持部材９を長尺棒２に固定した後は、支持部材９の延在部９Ｂへの、第１の扇状保護片１０及び第２の扇状保護片１１の取り付け位置を変えることで、回転刃３の外周から外方に突出する第１の扇状保護片１０及び第２の扇状保護片１１の突出寸法Ｌ１の調整をすることができるようにもしてある。
【００３２】  接触防止カバー１２は、ステンレスなどの鋼板製若しくは合成樹脂製であって、図５に示すように、支持部材９の取り付け部９Ａの前端側に位置する部分に、着脱可能に取り付けられる。接触防止カバー１２は、接触防止カバー用締結手段１７によって長尺棒２に取り付けられる。接触防止カバー用締結手段１７は、接触防止カバー１２に一体化された２個のねじ棒１２Ａと、嵌合留め金具１７Ａと、２個の蝶ナット１７Ｂとからなり、長尺棒２に取り付けられた支持部材９の開口９Ｃから接触防止カバー１２のねじ棒１２Ａを、長尺棒２を挟んで上方に突出させた後、そのねじ棒１２Ａに蝶ナット１７Ｂをねじ込むことによって、着脱可能に取り付けられる（図３〜図５を参照）。
【００３３】  接触防止カバー１２は、支持部材９の取り付け部９Ａの前端側に取り付けられた状態で、回転軸８Ｂの自由端（下端）に固定した回転刃３下面よりも下方に延びる形状にしてあり、土手の斜面を、その土手の上にて刈払機１を持ち上げながら刈払作業をした際に、刈払機１全体が上方に跳ね返った（キックバックした）場合、回転刃３が刈払作業者の足に接触してその足を傷付けてしまうことを阻止する機能を有するようにしてある。接触防止カバー１２の下端面は、円弧状としてある。接触防止カバー１２の上面には、図５に示すように、凹み部１２Ｂが形成されている。接触防止カバー１２の内壁面は、回転刃３の外周に沿うように、円弧状としてある。接触防止カバー１２の下端面は、刈払作業者が刈払機１の回転刃３を左右に振りながら地面に生えている草類の刈払作業をした際に、接触防止カバー１２が地面に引っ掛からないように、円弧状としてある。また、接触防止カバー１２は、地面に生えている草類を回転刃３によって刈り取る際に、その地面にある石類が回転する回転刃３によって飛散して刈払機１を使用する刈払作業者に当たるのを防止する機能も有している。
【００３４】  次に、上記構成の刈払機１への隅切り保護具７及び接触防止カバー１２の装着手順の一例を具体的に、説明する。
【００３５】  まず、所定の直径を有する回転刃３（例えば、直径を約２３０ｍｍとした回転刃３若しくは直径を約２５５ｍｍとした回転刃３）を回転軸８Ｂの下端に固定する。
【００３６】  次いで、一対の第１の扇状保護片１０及び第２の扇状保護片１１を支持部材９の延在部９Ｂに、貫通孔１０Ｆ、１１Ｆに扇状保護片用ボルト１６Ｂを嵌合させた後、その扇状保護片用ボルト１６Ｂに扇状保護片用蝶ナット１６Ａをねじ込むとともに、位置調整部材１５の長孔１５Ａを位置調整用ボルト１５Ｂに嵌合させた状態でその位置調整用ボルト１５Ｂに蝶ナット１５Ｃを螺合させて位置調整部材１５を仮止めすることで、隅切り保護具７を組み立てる。
【００３７】  次いで、組み立てた隅切り保護具７における支持部材９の開口９Ｃに、位置調整用ボルト１５Ｂの円弧状側面１５Ｄが伝達機構収納体８の外周前部が当接するように、その伝達機構収納体８を支持部材９の開口９Ｃに嵌合させた後、回転刃３の外周から外方に突出する第１の扇状保護片１０及び第２の扇状保護片１１の突出寸法Ｌ１を調整して位置調整部材１５を扇状保護片用蝶ナット１６Ａにより固定するとともに、支持部材９の取り付け部９Ａを支持部材用締結手段１３によって長尺棒２に締結する。
【００３８】  その後、接触防止カバー１２を、接触防止カバー用締結手段１７によって、長尺棒２に締結することによって、刈払機１への隅切り保護具７及び接触防止カバー１２の装着作業を完了させることができる。
【００３９】  刈払機１への隅切り保護具７及び接触防止カバー１２の装着が完了後、回転刃３の外周から外方に突出する第１の扇状保護片１０及び第２の扇状保護片１１の突出寸法Ｌ１を調整したい場合は、一対の第１の扇状保護片１０及び第２の扇状保護片１１の、支持部材９の延在部９Ｂへの取り付け位置を変えることによって、行うようにしてもよい。
【００４０】  さらに、一対の第１の扇状保護片１０及び第２の扇状保護片１１が取り付けられた状態の隅切り保護具７を、刈払機１に装着した後、その隅切り保護具７から第１の扇状保護片１０のみを取り除きたい場合には、扇状保護片用蝶ナット１６Ａを緩めてその扇状保護片用蝶ナット１６Ａを扇状保護片用ボルト１６Ｂから取り除くことで、支持部材９の延在部９Ｂから第１の扇状保護片１０を取り外すようにすればよい、
【００４１】  さらに、接触防止カバー１２を刈払機１から取り除きたい場合には、接触防止カバー用締結手段１７の蝶ナット１７Ｂ及び嵌合留め金具１７Ａを、接触防止カバー１２のねじ棒１２Ａから取り除くことにより、長尺棒２から接触防止カバー１２を外すようにすればよい。
【００４２】  次に、上記構成の隅切り保護具７の最適な使い方を、具体的に説明する。
【００４３】（ａ）広い平地に生えた丈の短い草類の刈払作業をする場合には、支持部材９の延在部９Ｂに一対の第１の扇状保護片１０及び第２の扇状保護片１１を取り付けた状態とした隅切り保護具７を刈払機１に装着した状態で、使用する。この場合、刈払機１の長尺棒２を左右に振りながら刈払作業を行うと、一対の第１の扇状保護片１０と第２の扇状保護片１１との間隙Ｇ２に入った丈の短い草類が回転刃３によって、円滑に刈り取られる。そして、その刈払作業は、一対の第１の扇状保護片１０及び第２の扇状保護片１１によって回転刃３が覆われているので、安全である。
【００４４】（ｂ）広い平地に生えた丈の長い草類、篠などの刈払作業をする場合には、支持部材９の延在部９Ｂに、第１の扇状保護片１０と第２の扇状保護片１１のいずれか一方のみを取り付けた状態とした隅切り保護具７を刈払機１に装着した状態で、使用する。この場合には、第１の扇状保護片１０と第２の扇状保護片１１のいずれか一方がないことにより、丈の長い草類、篠などに直接接触する回転刃３の刃先面積が大きくなるために、その丈の長い草類、篠などが難なく、効率よく刈り取られる。
【００４５】（ｃ）図１１に示すように、立ち木Ｈの周りの地面に生えた草類Ｓの刈払作業を場合には、支持部材９の延在部９Ｂに一対の第１の扇状保護片１０及び第２の扇状保護片１１を取り付けた状態とした隅切り保護具７を刈払機１に装着した状態で、使用する。この場合は、一対の第１の扇状保護片１０及び第２の扇状保護片１１が立ち木Ｈに当接するのみで、回転刃３が立ち木Ｈに接触しないため、立ち木Ｈが損傷することがない。
【００４６】（ｄ）縁石やコンクリート製壁の地際に生えた草類の刈払作業を場合には、支持部材９の延在部９Ｂに一対の第１の扇状保護片１０及び第２の扇状保護片１１を取り付けた状態とした隅切り保護具７を刈払機１に装着した状態で、使用する。この場合は、一対の第１の扇状保護片１０及び第２の扇状保護片１１が縁石やコンクリート製壁に当接するのみで、回転刃３が縁石やコンクリート製壁に接触しないため、回転刃３の刃先が破損することがない。
【００４７】（ｅ）田んぼの畦に設置した畦波板に沿って生えた草類の刈払作業を場合には、支持部材９の延在部９Ｂに一対の第１の扇状保護片１０及び第２の扇状保護片１１を取り付けた状態とした隅切り保護具７を刈払機１に装着した状態で、使用する。この場合は、一対の第１の扇状保護片１０及び第２の扇状保護片１１が畦波板に当接するのみで、回転刃３が畦波板に接触しないため、その畦波板が損傷することがない。
【００４８】（ｆ）土手等の斜面に生えた草類を、その土手等の上にて刈払機１を持ち上げながら刈る場合には、支持部材９の延在部９Ｂに一対の第１の扇状保護片１０及び第２の扇状保護片１１を取り付けた状態とした隅切り保護具７を、支持部材用締結手段１３によって、刈払機１に取り付けるとともに、接触防止カバー１２を、接触防止カバー用締結手段１７によって、回転刃３を近接させて長尺棒２に取り付けた状態で、使用する。この場合は、土手等の斜面に生えた草類の刈払作業中に、刈払機１が上方に飛び跳ねるようなことがあっても、刈払作業者の足に回転刃３が接触するのを、接触防止カバー１２によって、阻止しているので、安全である。
【００４９】（ｇ）小石などが転がっていない平らで広い地面に生えた芝生を刈り取る場合であって、子供などの非作業者が刈払作業者に近づかないことが確認でき、しかも、刈払作業者が刈払作業の熟練者である場合には、一対の第１の扇状保護片１０及び第２の扇状保護片１１を支持部材９の延在部９Ｂから取り除いた状態で、刈払機１を使用することにより、芝生の刈り取り作業を効率よく行える。
【００５０】  このように、上記構成の刈払機１によれば、１台の刈払機１によって、草類などの生えた条件の異なる複数の場所に応じて、最適な刈払作業を行うことができる。なお、上記（ｆ）では、接触防止カバー１２を，支持部材９を必ず取り付けるようにしているが、上記（ａ）〜（ｅ）及び（ｇ）では、接触防止カバー１２を支持部材９に取り付けないで使用してもよい。
【００５１】  上記構成の刈払機１では、一対の第１の扇状保護片１０及び第２の扇状保護片１１を取り付けた隅切り保護具７若しくは第１の扇状保護片１０を取り除いて第２の扇状保護片１１のみを取り付けた隅切り保護具７を装着することによって、次の（１）〜（１２）のような効果がえられる。
【００５２】（１）長尺棒２及び回転刃３を左右に振りながら前進させることで、平地に生えた草類が一対の第１の扇状保護片１０及び第２の扇状保護片１１の先端部１０Ａ、１１Ａで押されて湾曲状態となり、その湾曲した部分が図１１のごとく回転刃３の刃先に接触して切断されるために、平地に生えた草類が円滑に刈り取られる。
【００５３】（２）隅切り保護具７（一対の第１の扇状保護片１０及び第２の扇状保護片１１並びに支持部材９）によって、回転刃３の上面が覆われているので、長尺棒２及び回転刃３を左右に振りながら前進させて際、平地上の小石等の異物が回転する回転刃３に衝突してその異物が飛び跳ねても、その異物が遠くに飛散するのが抑えられるため、草類の刈払作業を安全に行うことができる。
【００５４】（３）長尺棒２及び回転刃３を左右に振りながら草類の刈払作業を行っている際、刈払作業者にうっかり近づいた子供などの非作業者の足等に、刈払機１の隅切り保護具７が接触しても、第１の扇状保護片１０及び第２の扇状保護片１１の先端部１０Ａ、１１Ａが回転刃３の外周よりも外方に突出しているので、回転刃３が、その非作業者の足等に接触してその非作業者の足等を傷付けてしまうことがない。したがって、刈払作業中の刈払作業者の周囲に近づく人の安全を確保できる。
【００５５】（４）回転刃３によって切断された草類は、一対の第１の扇状保護片１０及び第２の扇状保護片１１の湾曲部１０Ｂ、１１Ｂに沿って円周方向に移動して、第１の扇状保護片１０及び第２の扇状保護片１１の外側端面１０Ｄ、１１Ｄから外方に飛び出ししまうために、隅切り保護具７と回転刃３との間の伝達機構収納体８に絡まることがきわめて少なくなる。そのために、回転刃３によって切断された草類が隅切り保護具７と回転刃３との間に詰まってしまい、回転刃３の回転を停止させてしまうことを阻止することができる。
【００５６】（５）平地に比較的大きな石などの硬い物体があるのを気づかずに、長尺棒２及び回転刃３を左右に振りながら平地に生えた草類の刈払作業を行っても、回転刃３の外周よりも外方に突出している第１の扇状保護片１０及び第２の扇状保護片１１の先端部１０Ａ、１１Ａが硬い物体に接触することで、回転する回転刃３の刃先が硬い物体に接触することが阻止されるため、回転刃３の刃先の破損を阻止することができる。
【００５７】（６）立ち木Ｈの周りの下草を刈る場合には、第１の扇状保護片１０及び第２の扇状保護片１１の先端部１０Ａ、１１Ａを立ち木Ｈに当接させながら立ち木Ｈの周り沿って刈払機１を移動させることで、立ち木Ｈの周りの下草を、その立ち木Ｈを損傷させることなく、円滑に刈り取ることができる。また、田んぼの畦に設置した畦波板に沿って生えた草類を刈る場合には、第１の扇状保護片１０及び第２の扇状保護片１１の先端部１０Ａ、１１Ａを畦波板に当接させながら刈払機１を移動させても、回転する回転刃３の刃先によって畦波板に孔が開けられることなく、その畦波板に沿って生えた草類を円滑に刈ることができる。
【００５８】（７）縁石やコンクリート製壁の地際の草類を刈る場合には、第１の扇状保護片１０及び第２の扇状保護片１１の先端部１０Ａ、１１Ａを、縁石やコンクリート製壁に当接させながら刈払機１を移動させても、その縁石やコンクリート製壁に回転刃３が接触することがないので、回転刃３を損傷させることなく、縁石やコンクリート製壁の地際の草類を、隅々まで円滑に刈り取ることができる。
【００５９】（８）回転刃３によって刈られた草類は、第１の扇状保護片１０の外側端面１０Ｄ及び内側端面１０Ｅ並びに第２の扇状保護片１１の外側端面１１Ｄ及び内側端面１１Ｅに引っ掛けて所定の場所に集める（寄せる）ことができる。すなわち、長尺棒２及び回転刃３を右に振った場合には、第１の扇状保護片１０の外側端面１０Ｄと第２の扇状保護片１１の内側端面１１Ｅに刈られた草類を引っ掛けて、右側の１ヶ所に集める（寄せる）ことができ、また、長尺棒２及び回転刃３を左に振った場合には、第１の扇状保護片１０の内側端面１０Ｅと第２の扇状保護片１１の外側端面１１Ｃで刈り取られた草類を引っ掛けて、左側の１ヶ所に集める（寄せる）ことができる。したがって、刈り取られた草類の収集作業がきわめて簡単となる。
【００６０】（９）一対の第１の扇状保護片１０及び第２の扇状保護片１１と接触防止カバー１２を装着した状態で、上記（ａ）〜（ｆ）の刈払作業をした場合であっても、接触防止カバー１２と回転刃３との間に刈り取られた草類が詰まってしまうことがないこと及び第１の扇状保護片１０若しくは第２の扇状保護片１１によって刈る取られた草類を所定箇所に集められることが、実験により確認できた。
【００６１】（１０）一対の第１の扇状保護片１０及び第２の扇状保護片１１を取り付けた隅切り保護具７に、接触防止カバー１２が取り付けられているので、土手の斜面を、その土手の上にて刈払機１を持ち上げながら刈払作業をした際に、刈払機１全体が上方に跳ね返った（キックバックした）場合には、接触防止カバー１２が刈払作業者の足に当たって回転刃３が刈払作業者の足に接触するのを阻止しているため、その足が回転刃３によって、傷付けられることがない。
【００６２】（１１）接触防止カバー１２を、回転刃３の刃先に近接させるために、支持部材９の取り付け部９Ａの前端側に位置する部分に取り付けるようにしても、接触防止カバー１２の上面に凹み部１２Ｂが形成されているので、第２の扇状保護片１１の外側端面１１Ｄによって、集められる（寄せられる）ところの刈り取られた草類が接触防止カバー１２に邪魔されることなく、所定箇所に円滑に集められて（寄せられて）、接触防止カバー１２と回転刃３との間に刈り取られた草類が詰まってしまうことがないことが、実験により確認できた。
【００６３】（１２）第１の扇状保護片１０と第２の扇状保護片１１のいずれか一方を、支持部材９から取り除いた状態で、平地に生えた草類の刈払作業をした場合であっても、上面も露出状態となった回転刃３の刃先部分によって、丈の長い草類を効率よく刈払作業を行うことができる。この場合も、残りの支持部材９に取り付けられている第１の扇状保護片１０の湾曲部１０Ｂ若しくは第２の扇状保護片１１の湾曲部１１Ｂに案内されて、外方に移動し、隅切り保護具７と回転刃３との間の伝達機構収納体８に絡まることがきわめて少なくなる。そのために、回転刃３によって切断された草類が隅切り保護具７と回転刃３との間に詰まってしまい、回転刃３の回転を停止させてしまうことを阻止することができる。また、この場合、接触防止カバー１２が回転刃３に接近した状態で刈払機１に取り付けられていても、その接触防止カバー１２と回転刃３との間に刈り取られた草類が詰まってしまうことがないこと及び第１の扇状保護片１０若しくは第２の扇状保護片１１によって刈る取られた草類を所定箇所に集められる（寄せられる）ことが、実験により確認できた。
【００６４】  以上のように、上記実施形態の刈払機１によれば、刈払機１用の隅切り保護具７と回転刃３との間に刈り取られた草類が詰まること及び刈り取られた草類が回転刃３を収納した伝達機構収納体８の周りに絡み付くことが、ほとんどなくなり、回転刃３の回転を停止させることを阻止できるとともに、刈払機１用の隅切り保護具７によって、刈り取られた草類を所定の箇所に掻き集める（寄せる）ことができて使い勝手を向上させることができ、しかも、安全性を向上させることができる。
【００６５】  さらに、上記実施形態の隅切り保護具７によれば、第１の扇状保護片及び第２の扇状保護片の先端部の全外周を、前記回転刃の外周よりも外方に突出するように、第１の扇状保護片及び第２の扇状保護片を回転刃上に延在させた支持部材に取り付けるようにしているので、それら扇状保護片は簡単に破損することないとともに、縁石やコンクリート製壁の地際、立ち木の周りの地面及び田んぼの畦などの隅部に生えている草類等を、安全に、かつ、円滑に刈り取りことを可能にすることができる。
【００６６】  さらに、上記実施形態の隅切り保護具７によれば、補強部材１４が支持部材９の折り曲げ傾斜面９Ｄの上方に位置するように、支持部材９の取り付け部９Ａと延在部９Ｂとに溶接するようにしてあるので、支持部材９が簡単に変形することがない。
【００６７】  さらに、上記実施形態の隅切り保護具７によれば、第１の扇状保護片１０と第２の扇状保護片１１を同一大きさ及び同一形状としてあるので、一種類の扇状保護片を容易するだけでよく、生産現場の生産管理が簡単になるとともに、組み立て時に、第１の扇状保護片１０と第２の扇状保護片１１を、左右のどちらに取り付けてもよいので、組み立て性が向上する。
【００６８】  上記実施形態の隅切り保護具７では、支持部材９の取り付け部９Ａに補強部材１４を設ける構造にしているが、これに限定されない。支持部材９の厚さを増大させることによって、補強部材１４を削除するようにしてもよい。また、支持部材９の端縁を折り曲げてリブを形成することによって、支持部材９の強度を増大させるようにしてもよい。
【００６９】  さらに、上記実施形態の隅切り保護具７では、第１の扇状保護片１０及び第２の扇状保護片１１の先端部１０Ａ、１１Ａが、第１の扇状保護片１０及び第２の扇状保護片１１の平坦部１０Ｃ、１１Ｃよりも高い位置となるように、湾曲部１０Ｂ、１１Ｂで連結するようにしているが、これに限定されない。第１の扇状保護片１０及び第２の扇状保護片１１の先端部１０Ａ、１１Ａと平坦部１０Ｃ、１１Ｃとを、傾斜面部で連結するようにしてもよい。
【００７０】  上記実施形態の刈払機１において、接触防止カバー１２とともに、地面に生えている草類を回転刃３によって刈り取る際に、その地面にある石類が回転する回転刃３によって飛散して刈払機１の使用者に当たるのを防止する機能を有する飛散防止用安全カバーを、長尺棒２に設けるようにしてもよい。
【００７１】  さらに、上記実施形態の刈払機１では、隅切り保護具７の支持部材９の開口９Ｃから接触防止カバー１２のねじ棒２Ａを、長尺棒２を挟んで上方に突出させた後、そのねじ棒２Ａに蝶ナット１７Ｂをねじ込むことによって、長尺棒２に着脱可能取り付けるようにしているが、接触防止カバー１２を支持部材９に直接取り付けるようにしてもよい。
【００７２】  さらに、上記実施形態の刈払機１では、扇状保護片用締結手段１６の扇状保護片用ボルト１６Ｂを扇状保護片用取り付け孔９Ｆに嵌合させるようにしているが、支持部材９の延在部９Ｂ上に扇状保護片用ボルト１６Ｂを溶接するようにしてもよい。また、上記実施形態の刈払機１では、支持部材用締結手段１３の留め金具１３Ａの金具取り付け孔１３Ｄに留め金具用ボルト１３Ｅを嵌合させるようにしているが、留め金具１３Ａの左右上面に留め金具用ボルト１３Ｅを溶接するようにしてもよい。
【００７３】  さらに、上記実施形態の刈払機１では、支持部材９及び一対の第１の扇状保護片１０及び第２の扇状保護片１１を、ステンレス製としてあるが、合成樹脂（強化プラスチック）製として、成形加工によって作るようにしてもよい。
【図面の簡単な説明】
【００７４】
【図１】本発明の一実施形態に係わる刈払機における隅切り保護具を分解した状態を示す全体斜視図である。
【図２】本発明の一実施形態に係わる刈払機における駆動装置用の伝達機構の要部概略説明図である。
【図３】本発明の一実施形態に係わる刈払機における隅切り保護具の取り付け状態を示す要部上面図である。
【図４】本発明の一実施形態に係わる刈払機における隅切り保護具の取り付け状態を説明するための説明図である。
【図５】本発明の一実施形態に係わる刈払機用の隅切り保護具の分解斜視図である。
【図６】本発明の一実施形態に係わる刈払機の隅切り保護具を構成する支持部材の斜視図である。
【図７】本発明の一実施形態に係わる刈払機用の隅切り保護具を構成する支持部材の側面図である。
【図８】本発明の一実施形態に係わる刈払機用の隅切り保護具を構成する扇状保護片の上面図である。
【図９】本発明の一実施形態に係わる刈払機用の隅切り保護具を構成する扇状保護片の拡大斜視図である。
【図１０】本発明の一実施形態に係わる刈払機用の隅切り保護具を構成する支持部材の位置を調整するための位置調整部材の拡大斜視図である。
【図１１】本発明の一実施形態に係わる刈払機用の隅切り保護具の作用説明図である。
【符号の説明】
【００７５】  １    刈払機
２    長尺棒
３    回転刃
４    駆動装置
５    肩掛けバンド
６    握りハンドル
７    隅切り保護具
８    伝達機構収納体
８Ａ  複数個の伝達歯車
８Ｂ  回転軸
８Ｃ  細長伝達軸
９    支持部材
９Ａ  取り付け部
９Ｂ  延在部
９Ｃ  開口
９Ｄ  折り曲げ傾斜面
９Ｅ  取り付け孔
９Ｆ  扇状保護片用取り付け孔
１０  第１の扇状保護片
１０Ａ  先端部
１０Ｂ  湾曲部
１０Ｃ  平坦部
１０Ｄ  外側端面
１０Ｅ  内側端面
１０Ｆ  貫通孔
１１  第２の扇状保護片
１１Ａ  先端部
１１Ｂ  湾曲部
１１Ｃ  平坦部
１１Ｄ  外側端面
１１Ｅ  内側端面
１１Ｆ  貫通孔
１２  接触防止カバー
１２Ａ  ねじ棒
１２Ｂ  凹み部
１３  支持部材用締結手段
１３Ａ  留め金具
１３Ｂ  蝶ナット
１３Ｃ  嵌合凹部
１３Ｄ  金具取り付け孔
１３Ｅ  留め金具用ボルト
１４  補強部材
１５  位置調整部材
１５Ａ  長孔
１５Ｂ  位置調整用ボルト
１５Ｃ  蝶ナット
１５Ｄ  円弧状側面
１６  扇状保護片用締結手段
１６Ａ  扇状保護片用蝶ナット
１６Ｂ  扇状保護片用ボルト
１７  接触防止カバー用締結手段
１７Ａ  嵌合留め金具
１７Ｂ  蝶ナット
【図１】
2007209317.tif 000003
【図２】
2007209317.tif 000004
【図３】
2007209317.tif 000005
【図４】
2007209317.tif 000006
【図５】
2007209317.tif 000007
【図６】
2007209317.tif 000008
【図７】
2007209317.tif 000009
【図８】
2007209317.tif 000010
【図９】
2007209317.tif 000011
【図１０】
2007209317.tif 000012
【図１１】
2007209317.tif 000013